(57)【要約】【課題】  マナー着信モード中の電話装置を、発信元の電話装置より制御し呼出し可能とする。【解決手段】  電話装置１０において、電話装置はマナー着信モード中に呼出し可能な発信元の電話番号を登録する許容着信相手登録手段１０６と第１自動応答メッセージ送出手段１０３よりメッセージ送出後、雑音レベル測定手段１０８にてマイク１１５から周囲雑音を集音し呼出しレベルを選択する呼出し方法選択手段１０７と呼出しレベルに対して制御部１０９より例えばＬＣＤ１１０、ＬＥＤ１１１、バイブレータ１１２、スピーカ１１３を制御し呼出しを行い、一定時間内に電話装置のキー検出部１１４にてキー操作がされた場合、あらかじめ各キーに割り当てられたメッセージを選択応答メッセージ送出手段１０５より発信元に送信し、キー操作がない場合は第２自動応答メッセージ送出手段１０４より再度段階的に呼出しを行う、マナーモード中に呼出し可能な電話装置を提供する。【選択図】  図１
2008294507.tif 000002
【特許請求の範囲】
【請求項１】
マナー着信機能を有する電話装置であって、
マナー着信モードに設定されている時に着信があった場合に、当該着信に自動応答し予め登録されている第１の応答メッセージを当該着信の発信元へ送出する第１の自動応答メッセージ送出手段と、
周囲の雑音レベルを測定する雑音レベル測定手段と、前記測定した雑音レベルに応じて自電話装置の呼出し方法を選択する呼出し方法選択手段と、前記第１の自動応答メッセージを送出中または送出後に当該着信の発信元からのコマンドを受信する発信元コマンド受信手段とを有し、
前記発信元コマンド受信手段が呼出しに係る予め定められたコマンドを受信すると、前記呼出し方法選択手段は、前記自動応答した着信の接続を維持したまま前記雑音レベル測定手段が測定した雑音レベルに対応した所定の呼出動作を開始することを特徴とするマナー着信モード中に呼出し可能な電話装置。
【請求項２】
請求項１に記載の電話装置であって、
前記所定の呼出動作を開始してから予め定められた時間内に当該呼出しに応答する特定のキー操作が検出されなかった場合、予め登録されている第２の自動応答メッセージを前記発信元に送出することを特徴とするマナー着信モード中に呼出し可能な電話装置。
【請求項３】
請求項１または２に記載の電話装置であって、
前記呼出し方法選択手段は、雑音レベルと所定の呼出し方法を対応付けて予め段階的に登録されており、周囲の雑音レベルや前記第２の自動応答メッセージ送出手段にあわせて、呼出動作方法や動作レベルを変化させることを特徴とするマナー着信モード中に呼出し可能な電話装置。
【請求項４】
請求項１から３に記載の電話装置であって、
前記所定の呼出動作を開始してから予め定められた時間内に当該呼出しに応答する特定のキー操作が検出された場合、
前記特定のキー操作と対応付けられた選択応答メッセージを送出する選択応答メッセージ送出手段を具備することを特徴とするマナー着信モード中に呼出し可能な電話装置。
【請求項５】
請求項１から４に記載の電話装置であって、
マナー着信モード中の呼出動作を許容する許容着信相手登録手段をさらに有し、着信時に当該着信の発信元が前記許容着信相手登録手段に登録されているか否かを判定し、登録されていると判定された場合に、前記所定の呼出動作を開始することを特徴とするマナー着信モード中に呼出し可能な電話装置。
【発明の詳細な説明】
【技術分野】
【０００１】
本発明は、例えばマナーモード設定中の携帯電話に対して発信側から操作して、段階的にマナーモードの解除を行なうマナー着信モード中に呼出し可能な電話装置に関するものである。
【背景技術】
【０００２】
会議中や電車内およびコンサートなどの公共の場所では、携帯端末に着信があった場合、鳴動音により周囲に迷惑がかからないようにマナーモードに設定する必要があった。しかし、マナーモードに設定し着信時にはバイブレータ機能のみ動作しても携帯端末を鞄の中に入れていたり、着衣のポケット等に入れていると着信に気付かない場合が多い。
【０００３】
また、発信側が緊急であっても着信側の鳴動は通常の着信と緊急の場合とでは差がなく、たとえ着信側の携帯端末所持者が気付いたとしても発信側の緊急度は伝わらないためその時の状況により応答しない場合もある。
【０００４】
この解決方法として、マナーモード設定された携帯電話機に着信があると、携帯電話機よりマナーモードが設定されている旨及び解除する為の音声キーワードの入力を要求するアナウンスを発信側端末に対して流し、発信者毎に個々に設定されたキーワードを照合しキーワードが一致したときのみ携帯電話機のマナーモードが解除され着信音が鳴動する技術がたとえば特許文献１に記載されている。
【０００５】
【特許文献１】特開２００４−２８２６５１号公報
【発明の開示】
【発明が解決しようとする課題】
【０００６】
しかしながら、特許文献１に記載されている技術はではマナーモード設定が着信側の状況によらず解除および鳴動するため必要以上の鳴動音量で解除される可能性があり、着信側の状況によっては問題となる。
【０００７】
本発明の目的は、まずは着信側の周囲雑音レベルを測定しある程度その雑音レベルにあわせて呼出し動作を行い、その呼出し動作に応答がなかった場合一度目の呼出し動作より大きい音量や動作を行う段階的な呼出し動作機能を有するマナー着信モード中に呼出し可能な電話装置を提供することにある。
【課題を解決するための手段】
【０００８】
第１の本発明は、マナー着信機能を有する電話装置であって、マナー着信モードに設定されている時に着信があった場合に、当該着信に自動応答し予め登録されている第1の応答メッセージを当該着信の発信元へ送出する第１の自動応答メッセージ送出手段と、周囲の雑音レベルを測定する雑音レベル測定手段と、前記測定した雑音レベルに応じて自電話装置の呼出し方法を選択する呼出し方法選択手段と、前記第１の自動応答メッセージを送出中または送出後に当該着信の発信元からのコマンドを受信する発信元コマンド受信手段とを有し、前記発信元コマンド受信手段が呼出しに係る予め定められたコマンドを受信すると、前記呼出し方法選択手段は、前記自動応答した着信の接続を維持したまま前記雑音レベル測定手段が測定した雑音レベルに対応した所定の呼出動作を開始することを特徴とする。
【０００９】
第２の本発明は、上記第１の本発明において、前記所定の呼出動作を開始してから予め定められた時間内に当該呼出しに応答する特定のキー操作が検出されなかった場合、予め登録されている第２の自動応答メッセージを前記発信元に送出することを特徴とする。
【００１０】
第３の本発明は、上記第１または第２の本発明において、前記呼出し方法選択手段は、雑音レベルと所定の呼出し方法を対応付けて予め段階的に登録されており、周囲の雑音レベルや前記第２の自動応答メッセージ送出手段にあわせて、呼出動作方法や動作レベルを変化させることを特徴とする。
【００１１】
第４の本発明は、上記第１から第３の本発明において、記所定の呼出動作を開始してから予め定められた時間内に当該呼出しに応答する特定のキー操作が検出された場合、前記特定のキー操作と対応付けられた選択応答メッセージを送出する選択応答メッセージ送出手段を具備することを特徴とする。
【００１２】
第５の本発明は、上記第１から第４の本発明において、マナー着信モード中の呼出動作を許容する許容着信相手登録手段をさらに有し、着信時に当該着信の発信元が前記許容着信相手登録手段に登録されているか否かを判定し、登録されていると判定された場合に、前記所定の呼出動作を開始することを特徴とする。
【発明の効果】
【００１３】
本発明によれば、マナー着信モード設定中の電話装置に段階的に呼出し動作ができるマナー着信モード中に呼出し可能な電話装置を得ることができる。
【発明を実施するための最良の形態】
【００１４】
以下、本発明の実施の形態を、図面を参照して説明する。
【００１５】
図１は、本発明によるマナー着信モード中に呼出し可能な電話装置の実施形態の構成図である。
【００１６】
図１において、マナー着信モード中に呼出し可能な電話装置１０は、基地局（図示せず）との音声通信やデータ通信を無線で送受信を行なう無線送受信回路１０１と電話装置のさまざまな動作を制御する制御部１０９とマイク１１５にて周囲の雑音レベルを測定する雑音レベル測定手段１０８と、呼出し方法を選択する呼出し方法選択手段１０７と発信元からのマナー着信モードの解除を許可するか否かを登録する許容着信相手登録手段１０６と許容着信相手登録手段１０６で登録された発信側に対して自動応答メッセージを送出する第１自動応答メッセージ送出手段１０３及び第２自動応答メッセージ送出手段１０４と発信側からのコマンドを受信する発信元コマンド受信手段１０２と通常のキー操作を行なうキー検出部１１４やキーにあらかじめ割当てられた選択応答メッセージを送出する選択応答メッセージ送出手段１０５とマナー着信モード中に呼出しを行なう手段、例えばＬＣＤ１１０、ＬＥＤ１１１、バイブレータ１１２、スピーカ１１３からなる。
【００１７】
電話装置１０は、ＰＨＳ（Ｐersonal Handyphone System）通信や携帯電話、無線ＬＡＮ通信に対応した無線電話機だけでなく、例えば事業所用ビジネス電話機や一般電話機、ＩＰ（Internet Protocol）電話機等の有線電話機一般に対応したものでもよい。
【００１８】
無線送受信回路１０１は、基地局と無線で音声通信やデータ通信を送受信する回路であり、制御部１０９からの情報の受信及び制御部１０９への情報の送信を行なう。
【００１９】
なお、本発明を有線電話機に適用する場合、無線送受信回路１０１に代えて、当該有線通信方式に対応した送受信回路（図示せず）を適用すればよい。
【００２０】
マナー着信モード中に着信を受信すると、制御部１０９は発信元の電話番号が許容着信相手登録手段１０６に登録されている許容着信相手であるか否かを判定する。
【００２１】
許容着信相手登録手段１０６には、あらかじめマナー着信モード中であっても呼出しを許容する相手電話番号が登録されている。
【００２２】
制御部１０９にて許容着信相手登録手段１０６に同一電話番号が有ると判定すると第１自動応答メッセージ送出手段１０３より例えば「ただ今、電話に出られない為緊急の場合はキー１を押しそのままでお待ち下さい。」とメッセージが発信元へ流れる。
【００２３】
メッセージ送出後マイク１１５をＯＮにし、電話装置１０の周囲のノイズレベルを雑音レベル測定手段１０８にて測定し、呼出し方法選択手段１０７へ送出する。このときマイク１１５は、音声通話するときのマイクと兼用してもよいし専用に設けても良い。
【００２４】
呼出し方法選択手段１０７では、マイク１１５にて集音された周囲のノイズレベルを雑音レベル測定手段１０８にて一定時間測定し、そのノイズレベルにより第１自動応答メッセージ送出手段１０３での呼出し手段および呼出しレベル、例えば着信音の音量を選択する。
【００２５】
図２に呼出し方法選択手段１０７での選択レベルの例を示す。
【００２６】
例えば雑音レベル測定手段１０８にて３０ｄＢのノイズレベルが測定されると呼出し方法選択手段１０７にてレベル４と選択し、そのレベル情報を制御部１０９へ送信する。
【００２７】
制御部１０９にて呼出し方法選択手段１０７から送信されたレベル情報を受信すると、そのレベルの呼出し動作を例えばＬＣＤ１１０、ＬＥＤ１１１、バイブレータ１１２、スピーカ１１３の制御を一定時間行なう。
【００２８】
第２自動応答メッセージ送出手段１０４は、第１自動応答メッセージ送出手段１０３での呼出し動作を行ってもキー検出部１１４にてキー操作が検出されなかった場合、再度発信元へ応答メッセージを例えば「呼出しに応答がないようです。呼出しレベルを上げて再度呼出し致しますのでキー２を押しそのままでお待ち下さい。」とメッセージを送出する。
第２自動応答メッセージ送出手段１０４では、第１自動応答メッセージ送出手段１０３で呼出したレベルよりも大きなレベルで行なう。
【００２９】
選択応答メッセージ送出手段１０５には、あらかじめ複数の応答メッセージが登録されており、呼出し動作中に特定のキー操作を行なうことで発信元へ特定のメッセージを送出することができる。選択応答メッセージは、例えば図３に示す内容の音声応答メッセージが各キーへ割り当てられている。
【００３０】
図３に第１自動応答メッセージ送出手段１０３または第２自動応答メッセージ送出手段１０４の呼出し動作中に送出できる選択応答メッセージの例を示す。
【００３１】
例えば、第１自動応答メッセージの呼出し中に、端末１０のキー２を押下すると発信元の端末に対して「緊急性を了解いたしました。すぐに折り返し致しますので電話を切ってお待ち下さい。」とメッセージが流れる。
【００３２】
図３で示したメッセージは一例であり、例えばあらかじめ「はい」「いいえ」「了解しました」「あとでかけ直します」などの文章をあらかじめユーザーが自由にメッセージを登録できる。例えば予約１、予約２、予約３へ割り当て、発信元と対話形式でメッセージを送るようにすることで、受話部（図示しない）からの音声とキー操作だけで声を出さないでも対話できるようにしても良い。
【００３３】
図４、図５は、本発明におけるマナー着信モード中に着信した場合の動作フローチャートである。なお、Ｓ４０７はＳ４０９へステップし、Ｓ４０８はＳ４１０へステップする。
【００３４】
マナー着信モードに設定された電話装置１０に着信がある（Ｓ４００）と自動的に応答し（Ｓ４０１）、制御部１０９は発信元の電話番号が許容着信相手登録手段１０６に登録されているか否かを判定し、該当電話番号が有る（Ｓ４０２、ＹＥＳ）場合は第１自動応答メッセージ送出手段１０３にて発信元へ例えば「ただ今、電話に出られない為緊急の場合はキー１を押しそのままでお待ち下さい。」とメッセージを送出する（Ｓ４０３）。その後、マイク１１５より雑音レベル測定手段１０８にて周囲の雑音レベルを集音し、呼出し方法選択手段１０７にて呼出しレベルを選択する（Ｓ４０４）。例えば、雑音レベル測定手段１０８にて集音した周囲の雑音レベルが３０ｄＢであった場合、図２より呼出し方法選択手段１０７にて呼出しレベル４と選択する。
【００３５】
該当電話番号が無い（Ｓ４０２、ＮＯ）場合は、通常のマナーモード着信処理を行う（Ｓ４１７）。
【００３６】
第１自動応答メッセージ送出手段１０３送出後、発信元コマンド受信手段１０２にて発信元から特定のコマンドを受信すると（Ｓ４０５、ＹＥＳ）、呼出し方法選択手段１０７にて選択した呼出しレベルにて制御部１０９は、呼出し動作を例えばＬＣＤ１１０、ＬＥＤ１１１、バイブレータ１１２、スピーカ１１３を制御して一定時間呼出しを行なう（Ｓ４０６）。例えば、呼出しレベル４で発信元よりキー１のコマンドが送られてくると、制御部１０９はスピーカ音量及びバイブレータの動作周期を制御することで、鳴動音量極小かつバイブレータの動作間隔１秒ＯＮ、２秒ＯＦＦの呼出しを行なう。
【００３７】
所定時間内に発信元からのコマンドを受信しなかった（Ｓ４０５、ＮＯ）場合、通常のマナーモード着信処理を行う（Ｓ４１７）。
【００３８】
呼出し動作後も一定時間内にキー検出部１１４にキー操作がなかった場合（Ｓ４１１、ＮＯ）、第２自動応答メッセージ送出手段１０４にて発信元へ例えば「呼出しに応答がないようです。呼出しレベルを上げて再度呼出し致しますのでキー２を押しそのままでお待ち下さい。」という第２自動応答メッセージを送出する（Ｓ４１２）。
【００３９】
第２自動応答メッセージ送出後、発信元コマンド受信手段１０２にて発信元から特定のコマンドを受信すると（Ｓ４１３、ＹＥＳ）、第１自動応答メッセージ送出手段１０３にて呼出した呼出しレベルより大きいレベルにて制御部１０９は、呼出し動作を例えばＬＣＤ１１０、ＬＥＤ１１１、バイブレータ１１２、スピーカ１１３を制御して一定時間呼出しを行なう（Ｓ４１４）。例えば、第１自動応答メッセージ送出手段１０３にて呼出しレベル４で呼出しを行なっていた場合、第２自動応答メッセージ送出手段１０４では図２を例にすると呼出しレベル３にて呼出しを行なう。
【００４０】
呼出し動作後も一定時間内にキー検出部１１４にキー操作がなかった場合（Ｓ４１５、ＮＯ）、タイムアウトであれば（Ｓ４１６、ＹＥＳ）通話路を切断する。また、端末１０での設定（図示しない）であらかじめタイムアウト回数を例えば２回と設定してあった場合は、再度第２自動応答メッセージ送出手段１０４にて発信元へ第２自動応答メッセージを送出する（Ｓ４１２）動作を行い、タイムアウト（Ｓ４１６、ＹＥＳ）になるまで繰り返す。
【００４１】
（Ｓ４１１）および（Ｓ４１５）にて電話装置１０からキー操作がされた場合、あらかじめ各キーに割り当てられたメッセージを選択応答メッセージ送出手段１０５にて送出する（Ｓ４１８）。例えばキー検出部１１４にてキー２を検出した場合、図３より発信元へ「緊急性を了解いたしました。すぐに折り返し致しますので電話を切ってお待ち下さい。」とメッセージが流れる。このとき、図３のキー５の様なメッセージ内容によって通話路を切断しないようにしても良い。
【図面の簡単な説明】
【００４２】
【図１】本発明によるマナー着信モード中に呼出し可能な電話装置の実施形態の構成図である。
【図２】雑音レベル測定手段にて集音した周囲の雑音レベルより、呼出し方法選択手段にて呼出しレベルを選択する閾値および呼出し動作内容の一例を示す図である。
【図３】選択応答メッセージ送出手段にて特定のキーが押下された時に送出する応答メッセージの一例を示す図である。
【図４】本発明によるマナー着信モード中に着信した場合の動作フローチャートである。
【図５】本発明によるマナー着信モード中に着信した場合の動作フローチャートである。
【符号の説明】
【００４３】
１０：電話装置、１０１：無線送受信回路、１０２：発信元コマンド受信手段、１０３：第１自動応答メッセージ送出手段、１０４：第２自動応答メッセージ送出手段、１０５：選択応答メッセージ送出手段、１０６：許容着信相手登録手段、１０７：呼出し方法選択手段、１０８：雑音レベル測定手段、１０９：制御部、１１０：ＬＣＤ、１１１：ＬＥＤ、１１２：バイブレータ、１１３：スピーカ、１１４：キー検出部、１１５：マイク
【図１】
2008294507.tif 000003
【図２】
2008294507.tif 000004
【図３】
2008294507.tif 000005
【図４】
2008294507.tif 000006
【図５】
2008294507.tif 000007